(57)【要約】【課題】撮像素子を接着剤によって固定する構成を有する撮像装置において、接着剤が変形することによる撮像素子の位置の変化を防止する。【解決手段】本発明は、撮像素子が接着剤によって固定された枠部材、前記枠部材が複数のネジによって締結された撮像素子保持部、前記撮像素子の受光面に対向するフィルタ、及び前記受光面と前記フィルタとの間に挟持されたシール部材を含む撮像装置において、前記受光面とは反対側に配設され、前記複数のネジによって前記枠部材と共に前記撮像素子保持部に締結され、前記撮像素子を前記フィルタに近づく方向に付勢する付勢力を生じる付勢部材を配設した。【選択図】図１２
2014045277.tif 000002
【特許請求の範囲】
【請求項１】
撮像素子、
前記撮像素子が実装されたプリント回路基板、
前記撮像素子またはプリント回路基板が接着剤によって固定された枠部材、
前記枠部材が複数のネジによって締結され、前記撮像素子を所定の位置に保持するように構成された撮像素子保持部、
前記撮像素子保持部に固定され、前記撮像素子の受光面に対向して配設された板状のフィルタ、及び
前記受光面と前記フィルタとの間に挟持され、前記受光面の周囲を封止するシール部材
を含む撮像装置であって、
前記枠部材を挟んで前記撮像素子保持部とは反対側に配設され、前記複数のネジによって前記枠部材と共に前記撮像素子保持部に締結される付勢部材を具備し、
前記付勢部材は、弾性を有する部材からなり、前記撮像素子保持部に締結された状態において弾性変形することにより、前記撮像素子及び前記プリント回路基板の少なくとも一方を、前記フィルタに近づく方向に付勢する付勢力を生じるように構成されている
ことを特徴とする撮像装置。
【請求項２】
前記複数のネジの近傍のそれぞれにおいて、前記撮像素子保持部と前記枠部材との間、及び前記枠部材と前記付勢部材との間に挟持される同一の厚さの一対のシム部を具備し、
前記複数のネジの近傍のそれぞれにおいて、前記一対のシム部の厚さを変更することにより、前記撮像素子のアオリ調整を行うことが可能に構成された請求項１に記載の撮像装置。
【請求項３】
前記付勢部材は、前記複数のネジの近傍のそれぞれにおいて、前記撮像素子及び前記プリント回路基板の少なくとも一方に接し、前記付勢力を生じる複数の板バネ部を具備することを特徴とする請求項２に記載の撮像装置。
【請求項４】
前記一対のシム部は、連結部によって連結されていることを特徴とする請求項２または３に記載の撮像装置。
【発明の詳細な説明】
【技術分野】
【０００１】
本発明は、撮像素子を、接着剤によって所定の位置に固定する撮像装置に関する。
【背景技術】
【０００２】
撮像素子を有するデジタルカメラ等の撮像装置の組み立て時においては、撮像光学系と撮像素子との角度を調整する、いわゆるアオリ調整が必要となる場合がある。例えば、特許第４８０２２２１号公報には、撮像素子を保持する枠部材と、撮像装置の本体部に固定される撮像素子保持部との間に複数のシムを挟み、このシムの厚さを変更することによってアオリ調整を実施する技術が開示されている。
【先行技術文献】
【特許文献】
【０００３】
【特許文献１】特許第４８０２２２１号公報
【発明の概要】
【発明が解決しようとする課題】
【０００４】
撮像装置では、撮像素子の受光面上に塵埃が付着するのを防止するために、撮像素子の前面に配設された板ガラス状のフィルタと受光面との間を、ゴム等のシール部材によって封止する場合がある。この場合においては、フィルタと撮像素子とに挟まれたシール部材の弾性力によって、撮像素子に常に力が加えられる状態となる。このため、例えば、撮像素子を、接着剤によって枠部材に固定している場合、撮像装置が高温環境下に長時間おかれると、シール部材の弾性力によって接着剤にクリープ変形が生じ、撮像素子の位置が変化する可能性がある。
【０００５】
本発明は、上述した点に鑑みてなされたものであって、撮像素子を接着剤によって固定する構成を有する撮像装置において、接着剤が変形することによる撮像素子の位置の変化を防止することを目的とする。
【課題を解決するための手段】
【０００６】
本発明の一態様の撮像装置は、撮像素子、前記撮像素子が実装されたプリント回路基板、前記撮像素子またはプリント回路基板が接着剤によって固定された枠部材、前記枠部材が複数のネジによって締結され、前記撮像素子を所定の位置に保持するように構成された撮像素子保持部、前記撮像素子保持部に固定され、前記撮像素子の受光面に対向して配設された板状のフィルタ、及び前記受光面と前記フィルタとの間に挟持され、前記受光面の周囲を封止するシール部材を含む撮像装置であって、前記枠部材を挟んで前記撮像素子保持部とは反対側に配設され、前記複数のネジによって前記枠部材と共に前記撮像素子保持部に締結される付勢部材を具備し、前記付勢部材は、弾性を有する部材からなり、前記撮像素子保持部に締結された状態において弾性変形することにより、前記撮像素子及び前記プリント回路基板の少なくとも一方を、前記フィルタに近づく方向に付勢する付勢力を生じるように構成されている。
【発明の効果】
【０００７】
本発明によれば、撮像素子を接着剤によって固定する構成を有する撮像装置において、接着剤が変形することによる撮像素子の位置の変化を防止することが可能である。
【図面の簡単な説明】
【０００８】
【図１】撮像装置の前面側を示す斜視図である。
【図２】撮像装置の背面側を示す斜視図である。
【図３】撮像装置の後カバーを取り外した状態を示す分解斜視図である。
【図４】鏡枠本体部の斜視図である。
【図５】鏡枠本体部を下方側から見た斜視図である。
【図６】鏡枠本体部の下面図である。
【図７】撮像素子移動機構部を分解した分解斜視図である。
【図８】Ｘスライダ及び撮像素子保持部の斜視図である。
【図９】鏡枠本体部を下方側から見た斜視図である。
【図１０】撮像素子保持部Ｙ方向に移動させる駆動機構部の分解斜視図である。
【図１１】撮像素子保持部に撮像素子を固定する機構の分解斜視図である。
【図１２】図６のXII-XII断面図である。
【図１３】調整部材の斜視図である。
【図１４】撮像素子と、シール部材、シム部及び板バネ部との関係を説明するための断面図である。
【図１５】シム部を薄くした場合における撮像素子と、シール部材、シム部及び板バネ部との関係を説明するための断面図である。
【図１６】シム部を厚くした場合における撮像素子と、シール部材、シム部及び板バネ部との関係を説明するための断面図である。
【図１７】調整部材の変形例を示す斜視図である。
【図１８】第２の実施形態の調整部材の斜視図である。
【図１９】第２の実施形態における、撮像素子と、シール部材、シム部及び板バネ部との関係を説明するための断面図である。
【発明を実施するための形態】
【０００９】
以下に、本発明の好ましい形態について図面を参照して説明する。なお、以下の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１０】
（第１の実施形態）  
本実施形態は、一般に電子カメラ、デジタルカメラ等と称される形態の撮像装置に本発明を適用したものである。図１に示す本実施形態の撮像装置１は、被写体像を結像するためのレンズ等からなる撮像光学系部材と、撮像光学系部材の結像面に配設された撮像素子９６とを保持するレンズ鏡枠２０を内部に具備して構成されている。なお、撮像素子９６は、ＣＣＤやＣＭＯＳセンサ等のイメージセンサである。
【００１１】
撮像光学系部材は、プリズム３５ｂを含んでおり、プリズム３５ｂによって光軸を屈曲させる、いわゆる光路反射型、折り曲げ光学系、又は屈曲光学系等と称される形態を有している。本実施形態の撮像装置１では、撮像装置１の被写体に面する側（前方）から入射する光を、いわゆる直角プリズムであるプリズム３５ｂによって９０度屈曲させて、撮像素子９６の受光部に入射させる構成を有する。
【００１２】
以下の説明では、撮像光学系部材において、被写体からプリズム３５ｂに入射し、プリズム３５ｂの反射面に至るまでの光軸を第１光軸Ｏ１と称し、プリズム３５ｂの反射面から撮像素子９６に至る光軸を第２光軸Ｏ２と称するものとする。言い換えれば、撮像光学系部材において、第１光軸Ｏ１はプリズム３５ｂの反射面よりも物体側の光軸のことを指し、第２光軸Ｏ２はプリズム３５ｂの反射面よりも像側の光軸のことを指す。
【００１３】
また、以下の説明では、図１に示すように、撮像装置１をいわゆる正立位置で構えた場合のカメラの左右方向をＸ方向とし、Ｘ方向と直交する上下方向をＺ方向とし、Ｘ、Ｚ方向に直交する前後方向をＹ方向とする。なお、撮像装置１の正立位置とは、本実施形態では、撮像装置１によって撮像される矩形の画像の長辺が画像中の水平線と略平行となるように撮像装置１を構えた場合のことを称する。また、Ｙ方向について撮像装置１の被写体側を前方とし、撮影者側を後方（背面方向）とする。Ｘ方向、Ｙ方向及びＺ方向は、一般的には、撮像装置１の幅方向、厚さ方向、高さ方向とも称される。
【００１４】
具体的に本実施形態の撮像装置１は、図１、図２及び図３に示すように、箱形状の外装体として互いに対向した状態で結合される前カバー２及び後カバー３と、前カバー２及び後カバー３の内部に収容されるレンズ鏡枠２０と、カメラ制御基板１８とを有して構成されている。
【００１５】
前カバー２には前面部に撮影開口窓部２ｄ、閃光発光装置の発光用窓２ｅ等が配され、上面部に電源スイッチ１５およびレリーズスイッチ１４が配されている。後カバー３には背面部に撮影モード設定等の操作スイッチ群１３と、画像表示装置１６が配されている。
【００１６】
カメラ制御基板１８は、カメラの全制御を司るＣＰＵ、撮影モード制御部、ストロボ発光制御部、撮像素子による撮影画像データの処理を行う画像処理部、画像記録媒体であるフラッシュメモリに撮影画像データを書き込む記録制御部、ブレ検出センサ等が実装されたプリント回路基板からなり、前カバー２の内部右側に組み込まれる。
【００１７】
図４に示すように、鏡枠ユニット２０は、扁平な外形形状をもつ鏡枠としての鏡枠本体部４と、該鏡枠本体部４内に組み込まれる光学系部材と、鏡枠本体部４のＺ方向の下部に配され撮像素子９６を保持する撮像素子移動機構部７１とを有して構成されている。
【００１８】
鏡枠本体部４内に組み込まれる光学系部材は、図４に示すように、プリズム３５ｂを含み鏡枠本体部４に対して位置が固定された第１レンズ群と、光軸Ｏ２に沿ってそれぞれが独立して移動可能に配設された第２レンズ群３６、第３レンズ群３８及び第４レンズ群３９とによって構成されている。第２レンズ群３６、第３レンズ群３８及び第４レンズ群３９をそれぞれ光軸Ｏ２に沿って移動させる機構については、公知の技術であるためその説明を省略するものとする。また、図示しないが、光学系部材には、シャッター及び可変絞りも含まれる。
【００１９】
撮像素子移動機構部７１は、撮像素子９６を、光軸Ｏ２に対して相対的に移動可能に保持するように構成されている。撮像素子移動機構部７１は、カメラ制御基板１８に設けられたブレ検出センサによって検出された撮像装置１の移動（ブレ）量に基づいて撮像素子９６を移動させることによって、撮像される画像のブレを防止または抑制する機能を実現するための構成である。この撮像される画像のブレを防止または抑制する機能は、一般に、例えばブレ補正機能等と称される。
【００２０】
本実施形態の撮像素子移動機構部７１は、撮像素子９６を、光軸Ｏ２に略直交する平面に沿って撮像素子９６を移動可能に保持している。より具体的には、撮像素子移動機構部７１は、鏡枠本体部４に対してＸ方向に移動可能な第１移動部材であるＸスライダ８９と、Ｘスライダ８９に対してＹ方向に移動可能な第２移動部材であり撮像素子９６が固定された撮像素子保持部９１と、Ｘスライダ８９及び撮像素子保持部９１をそれぞれＸ方向及びＹ方向に移動させる駆動機構部を有して構成されている。
【００２１】
撮像素子保持部９１は、詳しくは後述するが、光軸Ｏ２が通過する中央開口部９１ａを有する枠状の部材である。撮像素子保持部９１の下方側には撮像素子９６が固定され、撮像素子９６は、中央開口部９１ａを介して撮像素子保持部９１の上方に向かって露出する。
【００２２】
図７に示すように、Ｘスライダ８９は、鏡枠本体部４に固定された第１ガイド部であるＸガイド軸８６によって鏡枠本体部４に連結され、Ｘガイド軸８６によってＸ方向に移動するように案内される。また、図８に示すように、撮像素子保持部９１は、Ｘスライダ８９に固定された第２ガイド部であるＹガイド軸９２によってＸスライダ８９に連結され、Ｙガイド軸９２によってＹ方向に移動するように案内される。
【００２３】
より詳細に説明すると、図８に示すように、Ｘスライダ８９にはＸ方向に同一軸上に配設された貫通孔である一対の軸受部８９ａ及び８９ｂと、Ｙ方向に同一軸上に配設された貫通孔である一対の軸保持穴８９ｃ及び８９ｄとが穿設されている。
【００２４】
Ｘスライダ８９に設けられた一対の軸受部８９ａ及び８９ｂは、鏡枠本体部４に固定されたＸガイド軸８６が挿入される穴であり、Ｘスライダ８９は、この一対の軸受部８９ａ及び８９ｂにおいて、Ｘガイド軸８６に沿って摺動する。また、Ｘスライダ８９に設けられた一対の軸保持穴８９ｃ及び８９ｄは、内部に嵌入されたＹガイド軸９２をＸスライダ８９に対して固定するための穴である。また、Ｘスライダ８９には、軸受部８９ａの側方位置に、Ｕ字状切り欠き部８９ｆが設けられている。
【００２５】
撮像素子保持部９１の右側の端部には、Ｙ方向に同一軸上に配設された貫通孔である一対の軸受部９１ｄ及び９１ｅが穿設されている。撮像素子保持部９１に設けられた一対の軸受部９１ｄ及び９１ｅは、Ｘスライダ８９に固定されたＹガイド軸９２が挿入される穴であり、撮像素子保持部９１は、この一対の軸受部９１ｄ及び９１ｅにおいて、Ｙガイド軸９２に沿って摺動する。
【００２６】
また、撮像素子保持部９１には、軸受部９１ｅの上方位置に、Ｕ字状切り欠き部９１ｆが設けられている。また撮像素子保持部９１の左側の端部には、ガイド用突起９１ｃが設けられている。
【００２７】
撮像素子保持部９１とＸスライダ８９とを連結する場合、まず、Ｙガイド軸９２をＸスライダ８９の軸保持穴８９ｃから挿入し、その後Ｙガイド軸９２を順に軸受部９１ｄ、軸保持穴８９ｄ、軸受部９１ｅに貫通させる。そして、Ｙガイド軸９２とＸスライダ８９とを接着剤により固定する。なおこの状態において、Ｙガイド軸９２は、Ｘスライダ８９に固定された状態において、Ｙガイド軸９２の前方側の先端部が、撮像素子保持部９１の前端面よりも前方外部に突出する。
【００２８】
また、撮像素子保持部９１とＸスライダ８９との間には、図示しない引張バネが懸架される。該引張バネは、撮像素子保持部９１を、Ｘスライダ８９に対してＹ方向後方に向かって付勢する力を発生するように配設されている。以上のように、撮像素子保持部９１は、Ｘスライダ８９に対して、引張バネによってＹ方向後方に向かって付勢された状態で、Ｙ方向に相対移動可能に支持されている。
【００２９】
図７及び図９に示すように、鏡枠本体部４の下部であって光軸Ｏ２よりも右側には、Ｘ方向に同一軸上に配設された貫通孔である一対の軸保持穴４ｆ及び４ｇが設けられている。鏡枠本体部４に設けられた一対の軸保持穴は、内部に嵌入されたＸガイド軸８６鏡枠本体部４に対して固定するための穴である。
【００３０】
鏡枠本体部４とＸスライダ８９とを連結する場合、Ｘガイド軸８６をＸスライダ８９の軸受部８９ａから挿入し、その後Ｘガイド軸８６を順に軸保持穴４ｆ、軸受部８９ｂ、軸保持穴４ｇに挿入する。また、このとき、Ｘガイド軸８６の周囲であって軸受部８９ａと軸保持穴４ｆとの間には、圧縮コイルバネ８７が配設される（図７）。そして、Ｘガイド軸８６と鏡枠本体部４とを接着剤により固定する。これにより、Ｘスライダ８９は、圧縮コイルバネ８７により鏡枠本体部４に対してＸ方向右方に向かって付勢された状態で、鏡枠本体部４に対してＸ方向に相対移動可能に支持される。
【００３１】
また、図９に示すように、軸保持穴４ｆ及び４ｇの下方位置からＹ方向前方側に離間した位置の鏡枠本体部４の壁面部には、長手方向がＸ方向に沿う長穴形状の軸受部４ｋが設けられている。軸受部４ｋは、撮像素子保持部９１の前端面から前方に向かって突出するＹガイド軸９２の前方側の先端部が挿入される位置に設けられている。
【００３２】
軸受部４ｋの幅は、Ｙガイド軸９２の前方側の先端部が内部においてガタなくＸ方向に摺動可能な値とされている。Ｙガイド軸９２の前方側の先端部が、軸受部４ｋによって支持されることによって、Ｘガイド軸８６によってＸ方向に案内されるＸスライダ８９及び撮像素子保持部９１の、Ｘガイド軸８６周りの回動が規制される。
【００３３】
また、鏡枠本体部４の下部であって光軸Ｏ２よりも左側には、第３のガイド部である軸受部４ｒと、フォトインタラプタ６９ｘ及び６９ｙが設けられている。フォトインタラプタ６９ｘ及び６９ｙは、後述する駆動機構部を構成する電動モータの原点検出用に用いられるものである。
【００３４】
軸受部４ｒは、撮像素子保持部９１から左方に突出するガイド用突起９１ｃにＺ方向（上下方向）両方向から接する形状を有している。また、軸受部４ｒとガイド用突起９１ｃとは、Ｘ方向及びＹ方向に相対的に摺動可能である。すなわち、ガイド用突起９１ｃは、軸受部４ｒ内において、Ｚ方向へのガタが無い状態で、Ｘ方向及びＹ方向に摺動可能である。言い換えれば、軸受部４ｒは、ガイド用突起９１ｃをＺ方向（光軸Ｏ２に沿う方向）に挟持することによって、ガイド用突起９１ｃのＺ方向への移動を規制し、かつガイド用突起９１ｃのＸ方向及びＹ方向の移動を妨げないように、ガイド用突起９１ｃを支持するように構成されている。
【００３５】
撮像素子保持部９１の光軸Ｏ２よりも左側にあるガイド用突起９１ｃが、軸受部４ｒによって支持されることによって、Ｙガイド軸９２によってＹ方向に案内される撮像素子保持部９１の、Ｙガイド軸９２周りの回動が規制される。
【００３６】
また、撮像素子保持部９１と鏡枠本体部４との間には、図示しない引張バネが懸架される。この引張バネの付勢力によって、Ｙガイド軸９２に対する撮像素子保持部９１のガタが除かれる。
【００３７】
以上に説明したように、Ｘスライダ８９は、鏡枠本体部４に対してＸガイド軸８６によりＸ方向にガイドされ、圧縮コイルバネ８７により左方向の付勢力を受けた状態で支持されている。Ｘスライダ８９は、Ｕ字状切り欠き部８９ｆを後述するナット７６で押圧することにより鏡枠本体部４に対してＸ方向に変位可能である。一方、撮像素子保持部９１は、Ｘ方向にはＸスライダ８９とともに変位可能な状態であり、かつＹ方向にＹガイド軸９２によってガイドされ、引張バネによる後方への付勢力を受けた状態で支持されている。撮像素子保持部９１は、Ｕ字状切り欠き部９１ｆを後述するナットで押圧することにより鏡枠本体部４に対してＹ方向にも変位可能である。すなわち、撮像素子保持部９１は、鏡枠本体部４に対して光軸Ｏ２に直交するＸＹ平面上を二次元的に変位可能である。
【００３８】
以上のように、鏡枠本体部４に対してＸ方向及びＹ方向に変位可能に支持されたＸスライダ８９及び撮像素子保持部９１が、駆動機構部によってＸ方向及びＹ方向に駆動される構成について説明する。駆動機構部は、Ｘスライダ８９をＸ方向に駆動するＸ駆動機構部と、撮像素子保持部９１をＹ方向に駆動するＹ駆動機構部とからなる。
【００３９】
Ｘ駆動機構部は、図７及び図９に示すように、ステッピングモータからなる電動モータ７２と、ギヤ７３及び７４を介して電動モータ７２によって回転駆動されるスクリュー７５と、スクリュー７５に螺合するナット７６とを有して構成されている。
【００４０】
スクリュー７５は、Ｘスライダ８９に設けられたＵ字状切り欠き８９ｆ内を通り、回転軸がＸ方向に沿うように配設されている。ナット７６は、スクリュー７５周りの回動が規制されており、電動モータ７２によって回転駆動されるスクリュー７５の回動に伴ってＸ方向に移動する。
【００４１】
また、Ｘスライダ８９は、Ｘガイド軸８６周りに配設された圧縮コイルバネ８７によって、ナット７６に向かって付勢される。このため、Ｘスライダ８９は、Ｕ字状切り欠き部８９ｆ近傍が常にナット７６に接し、Ｘスライダ８９は、電動モータ７２の回転に応じてＸ方向に進退移動するナット７６に従ってＸ方向に変位する。
【００４２】
Ｙ駆動機構部の構成は、配設される向きが異なるが、前記Ｘ駆動機構部と同様である。図１０に示すように、Ｙ駆動機構部は、ステッピングモータからなる電動モータ７９と、ギヤ８１及び８２を介して電動モータ７９によって回転駆動されるスクリュー８３と、スクリュー８３に螺合するナット８４とを有して構成されている。
【００４３】
スクリュー８３は、撮像素子保持部９１に設けられたＵ字状切り欠き部９１ｆ内を通り、回転軸がＹ方向に沿うように配設されている。ナット８４は、スクリュー８３周りの回動が規制されており、電動モータ７９によって回転駆動されるスクリュー８３の回動に伴ってＹ方向に移動する。
【００４４】
また、撮像素子保持部９１は、図示しない引張バネによってナット８３に向かって付勢される。このため、撮像素子保持部９１は、Ｕ字状切り欠き９１ｆ近傍が常にナット８３に接し、撮像素子保持部９１は、電動モータ７９の回転に応じてＹ方向に進退移動するナット８３に従ってＹ方向に変位する。
【００４５】
以上に説明したように、撮像素子９６が固定された撮像素子保持部９１は、駆動機構部によって、鏡枠本体部４に対して光軸Ｏ２に直交するＸ方向及びＹ方向に変位駆動される。
【００４６】
次に、撮像素子保持部９１に撮像素子９６を固定する構成について説明する。
【００４７】
図１１及び図１２に示すように、撮像素子９６は、プリント回路基板９５上に実装されている。なお、本実施形態では、撮像素子としての機能を発揮するベアチップの周囲をケース及びカバーガラスによって封止した、いわゆる撮像素子パッケージのことを撮像素子９６と称している。撮像素子９６とプリント回路基板９５とは、半田付けや異方性導電接着剤等によって固定されている。
【００４８】
本実施形態の撮像素子９６は、光軸Ｏ２に沿って見た場合に、略矩形状の板状の形状を有している。以下の説明では、撮像素子９６が受光する側の面を受光面９６ａと称し、受光面９６ａとは反対側の面を裏面９６ｂと称するものとする。また、撮像素子９６を光軸Ｏ２に沿って見た場合に外周となる面を側面９６ｃと称する。
【００４９】
プリント回路基板９５は、本実施形態では一例として、図示するように両面実装形式の硬質な基板であり、撮像素子９６が実装された面とは反対側の裏面上に、電子部品９５ａやコネクタ９５ｂが実装されている。コネクタ９５ｂは、図示しないフレキシブルプリント回路基板（ＦＰＣ）を接続可能に構成されている。
【００５０】
撮像素子９６及びプリント回路基板９５は、コネクタ９５ｂに接続されるフレキシブルプリント回路基板を介して、カメラ制御基板１８に電気的に接続される。なお、プリント回路基板９５は、裏面上に電子部品等が実装されない片面実装形式であってもよい、またプリント回路基板９５は、柔軟なフレキシブルプリント回路基板であってもよい。
【００５１】
撮像素子９６は、枠部材９７に接着剤１００によって固定されている。枠部材９７は、詳しくは後述するが、ネジ１０２によって撮像素子保持部９１に締結される部材である。すなわち、撮像素子９６は、枠部材９７を介して、撮像素子保持部９１に固定される。
【００５２】
枠部材９７は、光軸Ｏ２に沿って見た場合に、中央部において光軸Ｏ２方向に貫通する開口部９７ａと、光軸Ｏ２に沿って見た場合に、外周部の複数箇所において撮像素子９６の外形よりも外側に突出する複数の鍔状部９７ｂを有している。
【００５３】
本実施形態の枠部材９７は、板状の部材を、図１２に示すように、ＸＺ平面による断面がハット状となるように折り曲げた形状を有している。すわなち、枠部材９７は、板状部材を、Ｙ方向から見た場合にコ字形状となるように折り曲げた部分であるチャンネル状部９７ｃと、該チャンネル状部９７ｃの一対の側面９７ｃｂの端部をそれぞれＸ方向外側に向かって折り曲げた部分である鍔状部９７ｂとを有する。チャンネル状部９７ｃの底面９７ｃａと一対の鍔状部９７ｂとは略平行であり、一対の鍔状部９７ｂは略同一平面上に配置されている。
【００５４】
枠部材９７のチャンネル状部９７ｃは、言い換えれば、一対の鍔状部９７ｂによって構成される平面に対して凹設された凹部である。チャンネル状部９７ｃは、図１２に示すように、撮像素子９６を受光面９６ａが底面９７ｃａと対向する向きで、内部に収めることが可能である。言い換えれば、チャンネル状部９７ｃは、コ字形状の開口方向が、光軸Ｏ２に沿って像側に向くように配設されている。
【００５５】
ここで、チャンネル状部９７ｃの対向する一対の側面９７ｃｂ間の幅（Ｘ方向の離間距離）は、一対の側面９７ｃｂ間に撮像素子９６を所定の幅の隙間を有した状態で収めることが可能であり、かつこの隙間に充填された接着剤１００によって撮像素子９６を枠部材９７に対して固定することが可能な値に設定されている。
【００５６】
ここで、撮像素子９６を接着剤１００によって枠部材９７に対して固定した状態において、プリント回路基板９５は、枠部材９７から離れている。すなわち、撮像素子９６及びプリント回路基板９５は、枠部材９７に直接的に接触しておらず、枠部材９７から離れた状態において、枠部材９７に対して接着剤１００を介して固定されている。
【００５７】
チャンネル状部９７ｃの底面９７ｃａには、開口部９７ａが形成されている。開口部９７ａは、チャンネル状部９７ｃ内に撮像素子９６が接着剤１００により固定された場合において、少なくとも撮像素子９６の有効画素領域９６ｄが、開口部９７ａを介して底面９７ｃａの反対側に露出する形状及び大きさを有している。言い換えれば、撮像素子９６の有効画素領域９６ｄは、開口部９７ａを介して光軸Ｏ２の物体側（撮像光学系部材側）に露出する。
【００５８】
枠部材９７は、撮像素子保持部材９１にＺ方向下方から上方に向かって螺合する複数のネジ１０２によって、撮像素子保持部９１の下方側に締結される。枠部材９７には、図１１に示すように、鍔状部９７ｂに穿設された３つの貫通孔９７ｄが設けられている。３つの貫通孔９７ｄは、Ｚ方向（光軸Ｏ２方向）から枠部材９７を見た場合に、開口部９７ａの周囲に、３つ全てが同一直線状に並ばないように配設されている。本実施形態では、左方に延出する鍔状部９７ｂに１つの貫通孔９７ｄが穿設されており、右方に延出する鍔状部９７ｂに２つの貫通孔９７ｄが穿設されている。
【００５９】
撮像素子保持部９１の下方側の面上には、ネジ１０２が螺合するネジ穴を有する略平面状の台座部９１ｈが設けられている。台座部９１ｈは、ネジ穴が枠部材９７の貫通孔９７ｄに対応する位置に設けられている。すなわち、本実施形態では、撮像素子保持部９１の下方側の面上の３箇所に台座部９１ｈが設けられている。
【００６０】
枠部材９７は、３箇所の貫通孔９７ｄに挿通され、それぞれ台座部９７ｄのネジ穴に光軸Ｏ２と略平行に像側から物体側に向かって螺合する３つネジ１０２によって、撮像素子保持部９１に締結され固定される。なお、本実施形態では、枠部材９７は、３箇所においてネジ１０２によって撮像素子保持部９１に締結されるが、枠部材９７は４箇所においてネジ１０２によって撮像素子保持部９１に締結される形態であってもよい。
【００６１】
枠部材９７が撮像素子保持部９１に締結されることにより、撮像素子９６が撮像素子保持部９１に固定される。ここで、枠部材９７と３箇所の台座部９１ｈとの間には、後述する調整部材１０３が挟み込まれている。また、枠部材９７と３つのネジ１０２の頭部との間には、調整部材１０３及び後述する付勢部材１０１が挟み込まれている。すなわち、詳しくは後述するが、複数のネジ１０２によって、枠部材９７と共に、調整部材１０３及び付勢部材１０１が、いわゆる共締めの状態で、撮像素子保持部９１に締結される。
【００６２】
枠部材９７がネジ１０２によって撮像素子保持部９１に締結された状態において、撮像素子保持部９１と撮像素子９６の受光面９６ａとの間には、フィルタ９８及びシール部材９９が挟持されている。
【００６３】
フィルタ９８は、少なくとも可視光を透過する透明な板状の部材である。フィルタ９８は、光軸Ｏ２に略直交し、撮像素子保持部９１の中央開口部９１ａを塞ぐように配設されている。フィルタ９８は、単なる透明なガラス板であってもよいし、ローパスフィルタや赤外線カットフィルタ等の所定の機能を有するものであってもよいし、これらが組み合わされたものであってもよい。
【００６４】
シール部材９９は、フィルタ９８と、撮像素子９６の受光面９６ａとの間に挟持されている。シール部材９９は、Ｚ方向（光軸Ｏ２方向）から見て撮像素子９６の有効画素領域９６ｄの外側周囲を囲む枠形状であり、全周にわたってフィルタ９８と撮像素子９６に密接する。
【００６５】
シール部材９９は、撮像素子９６の受光面９６ａとフィルタ９８との間に塵埃が入り込むのを防ぐために設けられた部材である。シール部材９９は、合成樹脂やゴム等の弾性を有する部材からなる。
【００６６】
枠状のシール部材９９には、断面がくさび状のリップ部９９ａが、全周にわたって形成されている。リップ部９９ａは、シール部材９９の下面から撮像素子９６の受光面９６ａに向かって突出するように設けられている。
【００６７】
フィルタ９８と撮像素子９６の受光面９６ａとの間にシール部材９９が挟み込まれた状態において、このリップ部９９ａが受光面９６ａに密接する。シール部材９９は、弾性を有する材料からなることから、フィルタ９８と撮像素子９６の受光面９６ａとの間の距離が所定の範囲内において変化した場合であっても、Ｚ方向に弾性変形することによって、常にフィルタ９８と受光面９６ａの双方に密接するように構成されている。
【００６８】
言い換えれば、シール部材９９は、弾性変形することによって、撮像素子９６を撮像素子保持部９１に対して相対的にＺ方向下側（光軸Ｏ２に沿って像側）に向かって付勢する力を発生するように構成された部材である。さらに言い換えるならば、シール部材９９は、弾性変形することによって、撮像素子９６をフィルタ９８から遠ざかる方向に向かって付勢する力を発生する。
【００６９】
プリント回路基板９５の下方には、付勢部材１０１が配設されている。付勢部材１０１は、枠部材９７と共に３箇所においてネジ１０２によって撮像素子保持部９１に締結される。そして、付勢部材１０１は、弾性変形することによって、撮像素子９６及びプリント回路基板９５を、Ｚ方向上側（光軸Ｏ２に沿って物体側）に向かって付勢する力を発生する部材である。言い換えれば、付勢部材１０１は、弾性変形することによって、撮像素子９６及びプリント回路基板９５の少なくとも一方を、フィルタ９８に近づく方向に付勢する力を発生する。
【００７０】
なお、本実施形態では、付勢部材１０１は、プリント回路基板９５に直接接することにより、プリント回路基板９５を介して撮像素子９６をフィルタ９８に近づく方向に付勢する形態であるが、付勢部材１０１は、撮像素子９６に直接接して撮像素子９６をフィルタ９８に近づく方向に付勢する形態であってもよい。
【００７１】
また、付勢部材１０１が、弾性変形によって撮像素子９６及びプリント回路基板９５を付勢する力を発生する構成は特に限定されるものではなく、板バネやコイルバネ等の形態であってもよいし、Ｚ方向に弾性変形するゴムやスポンジ等であってもよい。
【００７２】
本実施形態では、付勢部材１０１による、撮像素子９６及びプリント回路基板９５を、フィルタ９８に近づく方向に付勢する力の強さは、シール部材９９による撮像素子９６をフィルタ９８から遠ざける方向に付勢する力の強さと略同等となるように構成されている。
【００７３】
本実施形態では一例として、付勢部材１０１は、金属製の板を折り曲げて形成されており、板バネ構造によって、撮像素子９６及びプリント回路基板９５をＺ方向上側に向かって付勢する形態を有する。
【００７４】
具体的には、図１１に示すように、付勢部材１０１は、プリント回路基板９５及び枠部材９７の下方を覆うように配設される板状の部材であり、周囲に、複数のネジ１０２が挿通される貫通孔１０１ａが形成されている。本実施形態では、貫通孔１０１ａは３箇所に形成されている。付勢部材１０１は、貫通孔１０１ａに挿通されるネジ１０２によって、枠部材９７と共に撮像素子保持部９１に固定される。
【００７５】
付勢部材１０１には、一つ又は複数の板バネ部１０１ｂが形成されている。板バネ部１０１ｂは、付勢部材１０１の一部をＺ方向上側に折り曲げて形成されており、付勢部材１０１が撮像素子保持部９１に固定された状態において、プリント回路基板９５の下方側の面に接し、プリント回路基板９５をＺ方向上側に向かって付勢する力を発生する。ここで、板バネ部１０１ｂは、撮像素子９６及びプリント回路基板９５の位置がＺ方向に所定の範囲内において変化した場合であっても、Ｚ方向に弾性変形することによって、常にプリント回路基板９５に接するように構成されている。
【００７６】
板バネ部１０１ｂは、３箇所に設けられている。具体的には、板バネ部１０１ｂは、３箇所の貫通孔１０１ａのそれぞれの近傍に設けられている。言い換えれば、板バネ部１０１ｂは、３つのネジ１０２によって撮像素子保持部９１に締結された状態において、３つのネジのそれぞれの近傍に配設されている。
【００７７】
そして、枠部材９７と台座部９１ｈとの間、及び枠部材９７と付勢部材１０１との間には、ネジ１０２によって締結される箇所において、調整部材１０３が挟持されている。
【００７８】
具体的に、調整部材１０３は、１枚の金属の板からなる部材であり、図１３に示すように、ネジ挿通穴１０３ｂが形成された一対のシム部１０３ａと、該一対のシム部１０３ａを連結する連結部１０３ｃを有して構成されている。調整部材１０３が１枚の金属板によって構成されていることから、一対のシム部１０３ｂは、略同一の厚さを有している。
【００７９】
一対のシム部１０３ａは、連結部１０３ｃによって、互いに対向し略平行となるように連結されている。一対のシム部１０３ａ間の距離は、枠部材９７の鍔状部９７ｂの厚さと同様の値とされている。一対のシム部１０３ａに形成されたネジ挿通穴１０３ｂは、略同一軸上に形成されており、それぞれにネジ１０２を挿通可能な形状を有している。
【００８０】
一対のシム部１０３ａは、それぞれ、枠部材９７と台座部９１ｈとの間、及び枠部材９７と付勢部材１０１との間に挟み込まれ、ネジ１０２によって、枠部材９７及び付勢部材１０１と共に撮像素子保持部９１に締結される。
【００８１】
以上のような本実施形態では、調整部材１０３を構成する板の厚さを変更することによって、枠部材９７と撮像素子保持部９１の台座部９１ｈとの距離、及び枠部材９７と付勢部材１０１との距離が同時に変化する。
【００８２】
そして、撮像素子９６が固定された枠部材９７が、外周部において３箇所のネジ１０２によって撮像素子保持部９１に締結されていることから、枠部材９７と撮像素子保持部９１の台座部９１ｈとの間に挟持される３箇所のシム部１０３ａの厚さをそれぞれ異なるものに変更することによって、撮像素子９６の受光面９６ａと光軸Ｏ２とのなす角度を変化させることが可能である。
【００８３】
例えば、３箇所に配設される調整部材１０３のうちの１つの厚さを、他の２つよりも薄いものとすれば、この薄い調整部材１０３が配設された締結箇所では、枠部材９７と撮像素子保持部９１の台座部９１ｈとの距離が他の締結箇所よりも小さい値となり、撮像素子保持部９１に対する枠部材９７の角度が変化する。すなわち、枠部材９７に固定された撮像素子９６と光軸Ｏ２とのなす角度が変化する。このように、撮像素子９６と光軸Ｏ２とのなす角度を調整することを、一般にアオリ調整等と称する。本実施形態では、それぞれの調整部材１０３において、一対のシム部１０３ａが連結部１０３ｃによって連結されていることから、アオリ調整時における調整部材１０３の差し替え作業を容易に行うことが可能である。
【００８４】
ここで、前述したように、撮像素子９６及びプリント回路基板９５は、枠部材９７に直接接しない状態で、枠部材９７に対して接着剤１００により固定されている。
【００８５】
そして、撮像素子９６及びプリント回路基板９５は、撮像素子９６とフィルタ９８との間に挟持されているシール部材９９によって、Ｚ方向下側（光軸Ｏ２に沿って像側）に向かって付勢されている。このシール部材９９が撮像素子９６及びプリント回路基板９５を像側に付勢する力は、シール部材９９が光軸Ｏ２方向に圧縮される量に略比例する。例えば、調整部材１０３の厚さを薄くすれば、この調整部材１０３の近傍において撮像素子９６の受光面９６ａがフィルタ９８に近づきシール部材９９の圧縮量が増えるため、シール部材９９が発生する付勢力が強くなる。
【００８６】
以下では一例として、図１４に示すように、調整部材１０３の厚さをｔ１とした場合において、この調整部材１０３の近傍においてシール部材９９が撮像素子９６及びプリント回路基板９５を像側に付勢する力をＦｄ１と称するものとする。
【００８７】
一方、撮像素子９６及びプリント回路基板９５は、付勢部材１０１の板バネ部１０１ｂによって、Ｚ方向上側（光軸Ｏ２に沿って物体）に向かって付勢されている。
【００８８】
この、板バネ部１０１ｂが撮像素子９６及びプリント回路基板９５を物体側に付勢する力は、当該板バネ部１０１ｂの近傍に配設された調整部材１０３の厚さに応じて変化する。具体的には、ある板バネ部１０１ｂの近傍に配設された調整部材１０３の厚さを薄くすれば、付勢部材１０１がプリント回路基板９５に近づき当該板バネ部１０１ｄの変形量が増えるため、当該板バネ部１０１ｂが発生する付勢力が強くなる。
【００８９】
以下では一例として、図１４に示すように、調整部材１０３の厚さをｔ１とした場合において、この調整部材１０３近傍の板バネ部１０１ｂが撮像素子９６及びプリント回路基板９５を物体側に付勢する力をＦｕ１と称するものとする。
【００９０】
本実施形態では、ある調整部材１０３の近傍においてシール部材９９が撮像素子９６及びプリント回路基板９５を像側に付勢する力Ｆｄ１の強さと、調整部材１０３近傍の板バネ部１０１ｂが撮像素子９６及びプリント回路基板９５を物体側に付勢する力Ｆｕ１の強さとが、略同等となるように構成されている。言い換えれば、本実施形態では、撮像素子９６の受光面９６ａに密接するシール部材９９が発生する、撮像素子９６を像側に付勢する力Ｆｄ１は、付勢部材１０１が発生する反対方向の付勢力Ｆｕ１によって打ち消される。これは、枠部材９７が撮像素子保持部９１にネジ１０２によって締結される３箇所全てにおいて同様である。
【００９１】
以上のように、本実施形態の撮像装置１では、複数のネジ１０２によって枠部材９７及び付勢部材１０１が撮像素子保持部９１に締結された領域のそれぞれの近傍において、付勢部材１０１に設けられた複数の板バネ部１０１ｂが、シール部材９９が発生する、撮像素子９６をフィルタ９８から遠ざかる方向に付勢する力Ｆｄ１を打ち消す付勢力Ｆｕ１を発生する。このため、例えば撮像装置１が高温環境下に長時間置かれる場合であっても、撮像素子９６に加えられるシール部材９９の付勢力によって接着剤がクリープ変化してしまうことがない。すなわち、本実施形態の撮像装置１は、接着剤１００が変形することによる撮像素子９６の位置の変化を防止することが可能である。
【００９２】
次に、本実施形態の撮像装置１の組み立て時において、撮像素子９６のアオリ調整を行うために、調整部材１０３の厚さを変更する場合について説明する。
【００９３】
例えば図１５に示すように、３つのうちの任意の調整部材１０３の厚さを、ｔ１よりも薄いｔ２に変更した場合、この調整部材１０３が締結されているネジ１０２の近傍においては、枠部材９７が撮像素子保持部９１により接近することに伴って、撮像素子９６の受光面９６ａにフィルタ９８により接近する。この場合、シール部材９９が、図１４の状態よりもさらにＺ方向に圧縮されるため、シール部材９９が発生する、撮像素子９６をフィルタ９８から遠ざかる方向に付勢する力Ｆｄ２の強さはより大きくなる。同時に、厚さｔ２の調整部材１０３が締結されているネジ１０２の近傍においては、付勢部材１０１が、枠部材９７により接近するため、当該ネジ１０２近傍に配設された板バネ部１０１ｂが発生する、撮像素子９６をフィルタ９８に近づける方向の付勢力Ｆｕ２の強さも大きくなる。
【００９４】
また、例えば図１６に示すように、３つのうちの任意の調整部材１０３の厚さを、ｔ１よりも厚いｔ３に変更した場合、この調整部材１０３が締結されているネジ１０２の近傍においては、枠部材９７が撮像素子保持部９１から離れるに従って、撮像素子９６の受光面９６ａがフィルタ９８から遠ざかる。この場合、シール部材９９のＺ方向の圧縮量は、図１４の状態よりも小さくなるため、シール部材９９が発生する、撮像素子９６をフィルタ９８から遠ざかる方向に付勢する力Ｆｄ３の強さはより小さくなる。同時に、厚さｔ３の調整部材１０３が締結されているネジ１０２の近傍においては、付勢部材１０１が、枠部材９７から遠ざかるため、当該ネジ１０２近傍に配設された板バネ部１０１ｂが発生する、撮像素子９６をフィルタ９８に近づける方向の付勢力Ｆｕ３の強さも小さくなる。
【００９５】
以上のように、撮像装置１の組み立て時において撮像素子９６のアオリ調整を行う場合、撮像素子９６の受光面９６ａとフィルタ９８との距離が変化することによって、シール部材９９が発生する撮像素子９６をフィルタ９８から遠ざける方向の付勢力の強さが変化する。本実施形態では、以上に説明したように、アオリ調整の実施によってシール部材９９が発生する付勢力が強くなる場合には、付勢部材１０１の板バネ部１０１ｂが発生する付勢力も強くなる。また反対に、アオリ調整の実施によってシール部材９９が発生する付勢力が弱くなる場合には、付勢部材１０１の板バネ部１０１ｂが発生する付勢力も弱くなる。
【００９６】
以上のように、本実施形態では、アオリ調整の実施によってシール部材９９が発生する撮像素子９６をフィルタ９８から遠ざける方向の付勢力が変化したとしても、この変化の強弱に応じて、付勢部材１０１の板バネ部１０１ｂが発生する撮像素子９６をフィルタ９８に近づける方向の付勢力の強弱が変化する。言い換えれば、アオリ調整を行った場合であっても、シール部材９９が発生する付勢力と付勢部材１０１の板バネ部１０１ｂが発生する付勢力とは、常に釣り合いを保ち、互いに打ち消し合う。
【００９７】
したがって、本実施形態の撮像装置１は、接着剤によって枠部材９７に固定された撮像素子９６のアオリ調整を行うことが可能に構成されており、さらに接着剤１００が変形することによる撮像素子９６の位置の変化を防止することが可能である。
【００９８】
なお、以上に説明した本実施形態では、調整部材１０３のシム部１０３ａは、中央にネジ挿通穴１０３ｂが形成されたワッシャ状の形状を有しているが、本発明はこの実施形態に限られるものではない。例えば、図１７に示すように、調整部材１０３のシム部１０３ａは、ネジ挿通穴１０３ｂが所定の方向に開いたＵ字形状であってもよい。図１７の変形例に示すように、シム部１０３がＵじ形状である場合、ネジ１０２を外さなくとも、ネジ１０２を緩めた状態で調整部材１０３を交換することが可能となるため、撮像素子９６のアオリ調整の作業が容易となる。
【００９９】
（第２の実施形態）  
次に、本発明の第２の実施形態について説明する。本実施形態は、第１の実施形態に対して、調整部材及び付勢部材の構成のみが異なる。よって以下ではこの相違点のみを説明するものとし、第１の実施形態と同様の構成要素については同一の符号を付し、その説明を適宜に省略するものとする。
【０１００】
図１８及び図１９に示すように、本実施形態では、ネジ１０２の近傍において枠部材９７と撮像素子保持部９１との間の距離を調整するための調整部材１０４のシム部１０４ａと、付勢部材の板バネ部１０４ｄとが一体に形成されている。
【０１０１】
具体的には、図１８に示すように、調整部材１０４は、金属板によって構成されており、シム部１０４ａにはネジ１０２が挿通されるネジ挿通穴１０４ｂが形成されている。シム部１０４ａは、連結部１０４ｃによって、板バネ部１０４ｄと連結されている。板バネ部１０４ｄは、プリント回路基板９５に接し、プリント回路基板９５及び撮像素子９６をフィルタ９８に近づく方向に付勢する付勢力Ｆｕを発生するように構成されている。本実施形態では、板バネ部１０４ｄには、ネジ１０２を回すためのドライバを干渉しないように、工具挿通部１０４ｅが設けられている。
【０１０２】
本実施形態では、板バネ部１０４ｄが発生する付勢力Ｆｕの強さは、当該板バネ部１０４ｄが連結されたシム部１０４ａがネジ１０２によって締結された場合における、シール部材９９が発生する撮像素子９６をフィルタ９８から遠ざける方向に付勢する付勢力Ｆｄの強さと略同一となるように設定されている。
【０１０３】
以上のような本実施形態では、第１の実施形態と同様に、シール部材９９が発生する付勢力Ｆｄと板バネ部１０４ｄが発生する付勢力Ｆｕとが、常に釣り合いを保ち、互いに打ち消し合うため、接着剤１００が変形することによる撮像素子９６の位置の変化を防止することが可能である。
【０１０４】
なお、本発明は、上述した実施形態に限られるものではなく、請求の範囲及び明細書全体から読み取れる発明の要旨或いは思想に反しない範囲で適宜変更可能であり、そのような変更を伴う撮像装置もまた本発明の技術的範囲に含まれるものである。
【０１０５】
本発明に係る撮像装置は、上述の実施形態で説明したデジタルカメラの形態に限らず、撮像機能を備えた双眼鏡、録音機器、携帯通信端末、ゲーム機、デジタルメディアプレーヤー、時計、ナビゲーション装置等の他の電子機器の形態であってもよいことは言うまでもない。
【符号の説明】
【０１０６】
１    撮像装置、
２    前カバー、
２ｄ    撮影開口窓部、
２ｅ    発光用窓、
３    後カバー、
４    鏡枠本体部、
４ｆ    軸保持穴、
４ｇ    軸保持穴、
４ｋ    軸受部、
４ｒ    軸受部、
１３    操作スイッチ群、
１４    レリーズスイッチ、
１５    電源スイッチ、
１６    画像表示装置、
１８    カメラ制御基板、
２０    レンズ鏡枠、
３５ｂ    プリズム、
３６    第２レンズ群、
３８    第３レンズ群、
３９    第４レンズ群、
６９ｘ    フォトインタラプタ、
６９ｙ    フォトインタラプタ、
７１    撮像素子移動機構部、
７２    電動モータ、
７３    ギヤ、
７４    ギヤ、
７５    スクリュー、
７６    ナット、
７９    電動モータ、
８１    ギヤ、
８２    ギヤ、
８３    スクリュー、
８４    ナット、
８６    Ｘガイド軸、
８７    圧縮コイルバネ、
８９    Ｘスライダ、
８９ａ    軸受部、
８９ｂ    軸受部、
８９ｃ    軸保持穴、
８９ｄ    軸保持穴、
８９ｆ    Ｕ字状切り欠き部、
９１    撮像素子保持部、
９１ａ    中央開口部、
９１ｃ    ガイド用突起、
９１ｄ    軸受部、
９１ｅ    軸受部、
９１ｆ    Ｕ字状切り欠き部、
９１ｈ    台座部、
９２    Ｙガイド軸、
９５    プリント回路基板、
９６    撮像素子、
９６ａ    受光面、
９６ｂ    裏面、
９６ｃ    側面、
９６ｄ    有効画素領域、
９７    枠部材、
９７ａ    開口部、
９７ｂ    鍔状部、
９７ｃ    チャンネル状部、
９７ｃａ    底面、
９７ｃｂ    側面、
９７ｄ    貫通孔、
９８    フィルタ、
９９    シール部材、
９９ａ    リップ部、
１００    接着剤、
１０１    付勢部材、
１０１ａ    貫通孔、
１０１ｂ    板バネ部、
１０２    ネジ、
１０３    調整部材、
１０３ａ    シム部、
１０３ｂ    ネジ挿通穴、
１０３ｃ    連結部、
１０４    調整部材、
１０４ａ    シム部、
１０４ｂ    ネジ挿通穴、
１０４ｃ    連結部、
１０４ｄ    板バネ部、
１０４ｅ    工具挿通部。
【図１】
2014045277.tif 000003
【図２】
2014045277.tif 000004
【図３】
2014045277.tif 000005
【図４】
2014045277.tif 000006
【図５】
2014045277.tif 000007
【図６】
2014045277.tif 000008
【図７】
2014045277.tif 000009
【図８】
2014045277.tif 000010
【図９】
2014045277.tif 000011
【図１０】
2014045277.tif 000012
【図１１】
2014045277.tif 000013
【図１２】
2014045277.tif 000014
【図１３】
2014045277.tif 000015
【図１４】
2014045277.tif 000016
【図１５】
2014045277.tif 000017
【図１６】
2014045277.tif 000018
【図１７】
2014045277.tif 000019
【図１８】
2014045277.tif 000020
【図１９】
2014045277.tif 000021